(57)【要約】【課題】胴板の縁を確実につかむことが構成のドラム缶解体アタッチメントを提供する。【解決手段】油圧ショベルのアームに取付けられるバックホウ型バケット１４の先端に第一のつかみ用プレート１７を取付ける。油圧ショベルのアームにバケット１４の開口面に対して油圧シリンダ１６により近接、離反可能に揺動アーム１５を枢着する。揺動アーム１５の先端に、第一のつかみ用プレート１７に対して油圧シリンダ１６の伸長により近接して第一のつかみ用プレート１７との間で対象物をつかむ第二のつかみ用プレート１９を設ける。揺動アーム１５の先端に、第二のつかみ用プレート１９の先端より第一のつかみ用プレート１７側に突出せず、第二のつかみ用プレート１９より揺動アーム１５の長手方向に突出させて設ける。【選択図】      図１
2004255526.tif 000002
【特許請求の範囲】
【請求項１】
油圧ショベルのアームに取付けられるバックホウ型バケットと、
該バケットの先端に取付けられた第一のつかみ用プレートと、
前記アームに前記バケットの開口面に対して近接、離反可能に枢着される揺動アームと、
前記油圧ショベルのアームと前記揺動アームとの間に取付けられる油圧シリンダと、
前記揺動アームの先端に取付けられ、前記第一のつかみ用プレートに対して前記油圧シリンダの伸長により近接して第一のつかみ用プレートとの間で対象物をつかむ第二のつかみ用プレートと、
前記揺動アームの先端に、前記第二のつかみ用プレートの先端より第一のつかみ用プレート側に突出せず、第二のつかみ用プレートより揺動アームの長手方向に突出させて設けたカッタとを備えた、
ことを特徴とするドラム缶解体アタッチメント。
【請求項２】
請求項１に記載のドラム缶解体アタッチメントにおいて、
前記揺動アームおよび第二のつかみ用プレートの横幅は前記バックホウバケットの側板間の幅より狭く、かつ第二のつかみ用プレートの下縁は直線状をなす
ことを特徴とするドラム缶解体アタッチメント。
【請求項３】
請求項１または２に記載のドラム缶解体アタッチメントにおいて、
前記第二のつかみ用プレートおよびカッタは、前記揺動アームに着脱自在に取付けられる
ことを特徴とするドラム缶解体アタッチメント。
【発明の詳細な説明】
【０００１】
【発明の属する技術分野】
本発明は、油圧ショベルのアームの先端に取付けられてドラム缶を解体するドラム缶解体アタッチメントに関する。
【０００２】
【従来の技術】
産業廃棄物等を収容したドラム缶より内容物を取り出して処理する場合、ドラム缶を解体する必要がある。このドラム缶解体アタッチメントとして、特許文献１に記載のものがある。この従来のドラム缶解体アタッチメントは、油圧ショベルのバックホウバケットの開口面に対して油圧シリンダにより近接離反可能に、バケット開口面を覆う形状のカバーを取付け、そのカバーの先端に、バックホウバケットの先端に設けたプレートとの間で対象物をつかむプレートを一体に設けると共に、そのカバー側プレートの中央部に、ドラム缶の胴板切断用のカッタを設け、バックホウバケット側のプレートには、切断された胴板の縁をつかむ際にカッタの突出分を入れるための溝を設けている。また、前記カバー側のプレートの下縁は、ドラム缶の外周面に合致するように弧状をなしている。
【０００３】
【特許文献１】
実用新案登録第２５３７２４４号公報。
【０００４】
【発明が解決しようとする課題】
上記従来構成のドラム缶解体アタッチメントにおいては、カッタの位置とバックホウバケットのプレートに設けた溝の位置が製作誤差により合わない場合、あるいは使用期間の経過により生じるガタによってカッタと溝の位置が合わない場合がある。このようにカッタと溝との位置ずれを生じると、カッタがバケット側のプレートの溝以外の部分に当接してバックホウバケット側プレートと揺動アーム側プレートとの間に隙間を生じてしまい、胴板をプレート間でつかむことができなくなってしまうという問題点がある。
【０００５】
また、ドラム缶の胴板部を切断する際に、ドラム缶の上面のカッタによる切断部からドラム缶前端までの部分がカバーと下縁が胴板の弧状面に嵌るように当てられるプレートとで覆われてしまうため、ドラム缶の切断しようとする部分が運転室上のオペレータからよく見えず、作業性が悪いという問題点がある。
【０００６】
本発明は、上記従来技術の問題点に鑑み、胴板の縁を確実につかむことができる構成のドラム缶解体アタッチメントを提供することを目的とする。
【０００７】
また、本発明は、運転室上にオペレータによりドラム缶の切断状況をできるだけ見やすくしたドラム缶解体アタッチメントを提供することを目的とする。
【０００８】
【課題を解決するための手段】
（１）本発明のドラム缶解体アタッチメントは、油圧ショベルのアームに取付けられるバックホウ型バケットと、
該バケットの先端に取付けられた第一のつかみ用プレートと、
前記アームに前記バケットの開口面に対して近接、離反可能に枢着される揺動アームと、
前記油圧ショベルのアームと前記揺動アームとの間に取付けられる油圧シリンダと、
前記揺動アームの先端に取付けられ、前記第一のつかみ用プレートに対して前記油圧シリンダの伸長により近接して第一のつかみ用プレートとの間で対象物をつかむ第二のつかみ用プレートと、
前記揺動アームの先端に、前記第二のつかみ用プレートの先端より第一のつかみ用プレート側に突出せず、第二のつかみ用プレートより揺動アームの長手方向に突出させて設けたカッタとを備えたことを特徴とする。
【０００９】
（２）また、本発明のドラム缶解体アタッチメントは、前記揺動アームおよび第二のつかみ用プレートの横幅は前記バックホウバケットの側板間の幅より狭く、かつ第二のつかみ用プレートの下縁は直線状をなすことを特徴とする。
【００１０】
（３）また、本発明のドラム缶解体アタッチメントは、前記第二のつかみ用プレートおよびカッタが、前記揺動アームに着脱自在に取付けられることを特徴とする。
【００１１】
【発明の実施の形態】
図１は本発明のドラム缶解体アタッチメントを有するドラム缶解体機の一実施の形態を示す側面図である。このドラム缶解体機は、油圧ショベルを用いて構成されるものであり、走行体１上に旋回装置２を介して旋回体３を設置し、旋回体３上に運転室４と油圧パワーユニット５を搭載する。また、旋回体３には、ブームシリンダ６により起伏されるブーム７と、ブーム７の先端にアームシリンダ８により回動自在に取付けられるアーム９と、アーム９の先端にピン１０を中心としてバケットシリンダ１１およびリンク１２、１３により回動自在に取付けられるバックホウバケット１４とを備える。
【００１２】
前記アーム９には、前記バケット１４の開口面に対して近接、離反可能に、バケット取付け用のピン１０に枢着して揺動アーム１５を取付ける。また、前記油圧ショベルのアーム９と前記揺動アーム１５との間に、揺動アーム１５を揺動させる油圧シリンダ１６を取付ける。
【００１３】
図２は該ドラム缶解体アタッチメントの側面図、図３はアタッチメントをバケット９の開口側より見た図である。図２、図３に示すように、バケット１４の先端には、第一のつかみ用プレート１７を溶接またはボルト付けにより設ける。図３に示すように、該第一のつかみ用プレート１７はバケット９より広幅に形成される。
【００１４】
また、前記揺動アーム１５の先端には、前記第一のつかみ用プレート１７に対して前記油圧シリンダ１６の伸長により近接して第一のつかみ用プレート１７との間で対象物をつかむ第二のつかみ用プレート１９と、第二のつかみ用プレート１９の中央部に設けたカッタ２０とを有する。図３に示すように、揺動アーム１５の横幅Ｗ１および第二のつかみ用プレート１９の横幅Ｗ２は、バケット１４の側板間の幅Ｗ３より狭い幅（Ｗ３＞Ｗ１、Ｗ３＞Ｗ２）を有する。また、第二のつかみ用プレート１９の下縁は直線状をなす。
【００１５】
前記カッタ２０は切断辺がＲ状をなし、前記第二のつかみ用プレート１９の先端部分１９ａにおいては（図２に示すような側面視において）カッタ２０は第二のつかみ用プレート１９から第一のつかみ用プレート１７側に突出せず、油圧シリンダ１６を伸長させると、第一のつかみ用プレート１７に対して第二のつかみ用プレート１９の縁が当接する。また、前記カッタ２０は、揺動アーム１５の先端は、第二のつかみ用プレート１９の先端より長手方向に突出させて設ける。また、これらの第二のつかみ用プレート１９とカッタ２０とはボルト２１とナット２２とにより揺動アーム１５の先端に着脱自在に取付ける。
【００１６】
図４はこのドラム缶解体アタッチメントによるドラム缶２３の解体作業を説明する図であり、図４（Ａ）に示すように、まず立てて設けられたドラム缶２３の上端縁を第一のつかみ用プレート１７とカッタ２０とでつかみ、ブーム７やアーム９を操作してドラム缶２３を横倒しにし、図４（Ｂ）に示すように、第一のつかみ用プレート１７をドラム缶２３の端面に当て、カッタ２０の先端でドラム缶２３の胴板を長手方向に切断する。次に図４（Ｃ）に示すように、切断された胴板の縁を第一のつかみ用プレート１７と第二のつかみ用プレート１９との間でつかんで引き上げる。これにより、ドラム缶２３に収容されたものの重みにより、ドラム缶２３の胴板が端板から剥離されて内容物を取り出すことができる。
【００１７】
上記した本発明ドラム缶解体アタッチメントにおいては、カッタ２０を、揺動アーム１５の先端に、前記第二のつかみ用プレート１９の先端より第一のつかみ用プレート１７側に突出せず、第二のつかみ用プレート１９より揺動アーム１５の長手方向に突出させて設けたので、カッタ２０が胴板の縁をつかむ際に邪魔になることがなく、胴板の縁を確実につかむことができる。
【００１８】
また、揺動アーム１５の横幅および第二のつかみ用プレート１９の横幅を、バケット９の側板間の幅より狭い幅にすると共に、第二のつかみ用プレート１９の下縁を直線状にしたので、運転室４上のオペレータによりドラム缶２０の切断状況が見やすくなる。また、カッタ２０および第二のつかみ用プレート１９は揺動アーム１５に着脱自在に取付けたので、カッタが摩耗したら交換することが可能であり、交換が容易となる。
【００１９】
【発明の効果】
本発明によれば、切断後の胴板の縁を確実につかむことができる。また、ドラム缶の胴板の切断状況が運転室上のオペレータにより見やすくなる。
【図面の簡単な説明】
【図１】本発明によるドラム缶解体アタッチメントを有するドラム缶解体機の一実施の形態を示す側面図である。
【図２】図１のドラム缶解体アタッチメントの側面図である。
【図３】図１のドラム缶解体アタッチメントを開口側から見た図である。
【図４】本実施の形態のドラム缶解体アタッチメントによる作業状況を説明する図である。
【符号の説明】
１：走行体、２：旋回装置、３：旋回体、４：運転室、５：油圧パワーユニット、１４：バックホウバケット、１５：揺動アーム、１６：油圧シリンダ、１７：第一のつかみ用プレート、１９：第二のつかみ用プレート、２０：カッタ、２１：ボルト、２２：ナット、２３：ドラム缶
【図１】
2004255526.tif 000003
【図２】
2004255526.tif 000004
【図３】
2004255526.tif 000005
【図４】
2004255526.tif 000006